(57)【要約】【課題】一本の任意の指から指紋画像読取りおよび指静脈パターン画像読取りを行うに際して使用者であるユーザに緊張を強いることなくリラックスした状態で操作できるようになし、使い勝手のよい個人認証装置を提供する。【解決手段】指紋画像読取り手段と指静脈パターン画像読取り手段の双方を一体的に備えるケースを有し、該ケースは、該ケースの同一面にて、一本の指が指紋画像読取り手段と指静脈パターン読取り手段にまたがって載置され、指紋画像読取り手段に面する第一の指載置部と指静脈パターン画像読取り手段に面する第二の指載置部とから構成される指載置部を有し、第一の指載置部は第二の指載置部に対して先端部が上方に鋭角持ち上がった傾斜角度で配置される。【選択図】図１
2008102728.tif 000002
【特許請求の範囲】
【請求項１】
指紋画像読取り手段と、指静脈パターン画像読取り手段と、を有する個人認証装置において、
前記指紋画像読取り手段と前記指静脈パターン画像読取り手段の双方を一体的に備えるケースを有し、該ケースは、該ケースの同一面にて、一本の指が前記指紋画像読取り手段と前記指静脈パターン読取り手段にまたがって載置され、前記指紋画像読取り手段に面する第一の指載置部と前記指静脈パターン画像読取り手段に面する第二の指載置部とから構成される指載置部を有し、第一の指載置部は第二の指載置部に対して先端部が上方に鋭角持ち上がった傾斜角度で配置されることを特徴とする個人認証装置。
【請求項２】
請求項１において、第二の指載置部は、前記指静脈パターン画像読取り手段に載置される指の腹部に対して空間部を形成し、第一の指載置部は、指が第二の指載置部に載置されたときに、指の先端部が接触する傾斜角度とされることを特徴とする個人認証装置。
【請求項３】
請求項２において、第二の指載置部は第一の指載置部への光の洩れを遮光する遮光部を備えることを特徴とする個人認証装置。
【請求項４】
請求項２において、第二の指載置部は、入口側および出口側の双方に突起部を有して該突起部によって前記空間部が形成され、前記第一の指載置部は、第二の指載置部の突起部に対向する形で指の入口側に入口側部を有して、前記双方の突起部および前記入口側部の高さは同一平面とされることを特徴とする個人認証装置。
【請求項５】
請求項１において、第一の指載置部は、押圧されて移動し、前記指紋画像読取り手段および前記指静脈パターン画像読取り手段の光源および撮像手段を駆動することを特徴とする個人認証装置。
【請求項６】
請求項１において、第二の指載置部は、第二の指載置部における指の載置位置を決定ずけることを特徴とする個人認証装置。
【請求項７】
指紋画像読取り手段と、指静脈パターン画像読取り手段と、を有する個人認証を行う個人認証装置において、
前記指紋画像読取り手段と前記指静脈パターン画像読取り手段の双方を一体的に備えるケースを有し、該ケースは、該ケースの同一面にて、一本の指が前記指紋画像読取り手段と前記指静脈パターン読取り手段にまたがって載置され、前記指紋画像読取り手段に面する第一の指載置部と前記指静脈パターン画像読取り手段に面する第二の指載置部とから構成される指載置部および第一の指載置部と第二の指載置部の共通軸方向で第二の指載置部の手前側に第二の指載置部に一体とされ、第一の指載置部に指の先端部を載置したときに手のヒラを載置する面を有する手のヒラ載置部を有し、第二の指載置部の入口側および出口側の双方に前記手のヒラを載置する面から突起する指ガイドを設けたことを特徴とする個人認証装置。
【請求項８】
請求項７において、第一の指載置部は第二の指載置部に対して先端部が上方に鋭角持ち上がった傾斜角度で配置されることを特徴とする個人認証装置。
【請求項９】
請求項７において、前記ケースは、前記同一面において前記指載置部の両側および奥方側で高さ方向に一体的に並立して前記指載置部を三方側で包囲する包囲部を有し、入口側は前方側から奥方側に向けて傾斜する第二の指載置部の入口部とされ、奥方にある包囲部に作動中を示す表示部が設けられ、第二の指載置部の側方側の包囲部の内側に遮光部が設けられることを特徴とする個人認証装置。
【発明の詳細な説明】
【技術分野】
【０００１】
本発明は、本人識別確認を行う個人認証装置に関する。
【背景技術】
【０００２】
個別識別を行う場合に、指紋あるいは指静脈パターンを撮像し、撮像した画像から特徴データを抽出し、既登録の参照データ（テンプレート）と照合することが行われる。指紋あるいは指静脈パターン画像が色々な分野で使われるようになって来た。
【０００３】
指紋による個人識別の場合、指紋の摩耗とかの事情によって十分な情報を取得できないことがある。このため、指紋によるデータと指静脈データの双方を使用して個人識別を行うことが提案されるようになって来た。
【０００４】
特許文献１には、血管パターンを読み取る血管パターン読取装置と、指紋を読み取る指紋読取装置と、前記血管パターンと前記指紋の適正な組み合わせを記憶する記憶部と、読み取られた前記血管パターンと前記指紋の組み合わせが、前記記憶部に記憶されている適正な組み合わせと一致するか否かにより、認証の正否を決定する認証部と、を備えた認証装置が記載されている。
【０００５】
また、特許文献２には、１本の指について指紋画像読取りユニットと、該ユニットにより読取られた指紋画像より指紋特徴データを抽出する手段と、血管パターン画像の読取り部と、該読取り部により読取られた血管パターン画像より血管パターンの特徴データを抽出する手段を設けると共に、前記抽出された特徴データを退避する領域を設け、抽出された指紋特徴データ又は血管パターンの特徴データ或は指紋特徴データと血管パターンの特徴データを統合したデータを使用して個人識別を行う個人識別装置が記載されている。
【０００６】
【特許文献１】特開２００６−１５５２５２号公報
【特許文献２】特開２００４−５４６９８号公報
【発明の開示】
【発明が解決しようとする課題】
【０００７】
上述した特許文献に示すように、個人識別を行うに当って指紋画像情報と指静脈パターン画像情報の双方を使用することが提案され、またこれらの情報の取得を一本の指を使うことが提案されている。
【０００８】
一本の指を使用して指紋画像情報および指静脈パターン画像情報を取得する場合に、従来の例によれば指に力を入れて真すぐに伸ばし、指紋画像読取り装置および指静脈パターン画像読取り装置の双方に載置する。この場合に、指の指静脈情報取得面と指紋情報取得面とは同一面となっており、指紋情報取得面は上方を向いている。このような状態で指紋情報を同一面で採取しようとすると必然的に指に力を入れることになって使用者であるユーザに緊張を強いることになる。緊張しないで指紋画像読取りおよび指静脈パターン画像読取りを行うためにはこの指の曲がりを考慮して使い勝手をよくすることが求められる。
【０００９】
本発明は、かかる点に鑑み一本の任意の指から指紋画像読取りおよび指静脈パターン画像読取りを行うに際して使用者であるユーザに緊張を強いることなくリラックスした状態で操作できるようになり、使い勝手のよい個人認証装置を提供することを目的とする。
【課題を解決するための手段】
【００１０】
使い勝手のよい個人認証装置とするためには、指静脈パターン画像を読取ることになる指の中央部の腹部を中心として指先端部曲がりに対応した指紋取得部の適切な配置あるいは／および双方の画像情報取得のための手のヒラの安定化のための手段を設けることになる。
【００１１】
このため本発明は、指紋画像読取り手段と、指静脈パターン画像読取り手段と、を有する個人認証装置において、
前記指紋画像読取り手段と前記指静脈パターン画像読取り手段の双方を一体的に備えるケースを有し、該ケースは、該ケースの同一面にて、一本の指が前記指紋画像読取り手段と前記指静脈パターン読取り手段にまたがって載置され、前記指紋画像読取り手段に面する第一の指載置部と前記指静脈パターン画像読取り手段に面する第二の指載置部とから構成される指載置部を有し、第一の指載置部は第二の指載置部に対して先端部が上方に鋭角持ち上がった傾斜角度で配置されることを特徴とする個人認証装置を提供する。
【００１２】
上記個人認証装置は、第二の指載置部は、前記指静脈パターン画像読取り手段に載置される指の腹部に対して空間部を形成し、第一の指載置部は、指が第二の指載置部に載置されたときに、指の先端部が接触する傾斜角度とされることを特徴とする。
【００１３】
上記個人認証装置は、第二の指載置部は第一の指載置部への光の洩れを遮光する遮光部を備えることを特徴とする。
【００１４】
上記個人認証装置は、第二の指載置部は、入口側および出口側の双方に突起部を有して該突起部によって前記空間部が形成され、前記第一の指載置部は、第二の指載置部の突起部に対向する形で指の入口側に入口側部を有して、前記双方の突起部および前記入口側部の高さは同一平面とされることを特徴とする。
【００１５】
上記個人認証装置は、第一の指載置部は、押圧されて移動し、前記指紋画像読取り手段および前記指静脈パターン画像読取り手段の光源および撮像手段を駆動することを特徴とする。
【００１６】
上記個人認証装置は、第二の指載置部は、第二の指載置部における指の載置位置を決定ずけることを特徴とする。
【００１７】
また、本発明は、指紋画像読取り手段と、指静脈パターン画像読取り手段と、を有する個人認証を行う個人認証装置において、
前記指紋画像読取り手段と前記指静脈パターン画像読取り手段の双方を一体的に備えるケースを有し、該ケースは、該ケースの同一面にて、一本の指が前記指紋画像読取り手段と前記指静脈パターン読取り手段にまたがって載置され、前記指紋画像読取り手段に面する第一の指載置部と前記指静脈パターン画像読取り手段に面する第二の指載置部とから構成される指載置部および第一の指載置部と第二の指載置部の共通軸方向で第二の指載置部の手前側に第二の指載置部に一体とされ、第一の指載置部に指の先端部を載置したときに手のヒラを載置する面を有する手のヒラ載置部を有し、第二の指載置部の入口側および出口側の双方に前記手のヒラを載置する面から突起する指ガイドを設けたことを特徴とする個人認証装置を提供する。
【００１８】
上記個人認証装置は、第一の指載置部は第二の指載置部に対して先端部が上方に鋭角持ち上がった傾斜角度で配置されることを特徴とする。
【００１９】
上記個人認証装置は、前記ケースは、前記同一面において前記指載置部の両側および奥方側で高さ方向に一体的に並立して前記指載置部を三方側で包囲する包囲部を有し、入口側は前方側から奥方側に向けて傾斜する第二の指載置部の入口部とされ、奥方にある包囲部に作動中を示す表示部が設けられ、第二の指載置部の側方側の包囲部の内側に遮光部が設けられることを特徴とする。
【発明の効果】
【００２０】
本発明によれば、第一の指載置部は第二の指載置部に対して先端部が上方に持ち上がった傾斜角度で配置され、あるいはケースの同一面に指載置部および手のヒラ載置部が設けられ、第二の指載置部の入口側および出口側の双方に手のヒラを載置する面から突起する突起部が設けられ、あるいは上記双方の構成を有するものとすることによって、一本の任意の指から指紋画像読取りおよび指静脈パターン画像読取りを行うに際して使用者であるユーザーに緊張を強いることなくリラックスした状態で操作できるようになし、使い勝手のよい個人認証装置を提供することができる。
【発明を実施するための最良の形態】
【００２１】
以下、本発明の実施例を図面に基づいて説明する。
【実施例】
【００２２】
図１は本発明の実施例である個人認証装置１００の外観を示し、図２は図１に示す個人認証装置１００からケース１をはずして内部構成を示す。
図１において、個人認証装置１００は、単一のケース１を備え、ケース１は上下接合される上ケース１Ａおよび下ケース１Ｂからなり、横型薄型の箱状形状とされ、上面部２に長方形状の孔３が形成してある。この構成において図の左方側を前方側と、そして右方側を奥方側と定義する。そして、前方側から奥方側に向けた方向を装置軸方向と定義する。従って、孔３は装置軸方向に沿って設けられることになる。
【００２３】
上ケース１Ａは、上面部２の中央部に孔３が形成された装置配置面部４と前方側に形成した手のヒラ載置部５および奥方側に山形に突出して形成した操作ガイド表示部６を有する。装置配置面部４上であって孔の両横側に沿って装置軸方向に向けて壁７（７Ａ、７Ｂ）が設けてあり、この壁７は山形の操作ガイド表示部６と共に孔３を三方側から包囲する包囲部８を形成する。包囲部８の壁７（７Ａ、７Ｂ）の前方側の先端部は前方側から奥方側に向けての傾斜入口部９（９Ａ，９Ｂ）とされる。操作ガイド表示部６の頂部には操作ガイドＬＥＤ１０によって表示部が形成され、後述するように装置が作動中か否かが表示される。
【００２４】
孔３には、指紋画像読取り部（指紋画像読取り装置）１１としての指紋画像読取り手段と指静脈パターン画像読取り部（指静脈パターン画像読取り装置）１２としての指静脈パターン画像読取り手段が一体化されて嵌め込まれ、装置の一部が図１に示すように孔３から露出する。
【００２５】
指静脈パターン画像読取り部１２には、孔３の両側方に沿って静脈撮影用ＬＥＤ１３である光源が設けてあり、指紋画像読取り部１１には、孔３の横方向前後部に指紋センサ操作ＬＥＤ２４である他の光源が設けてある。
【００２６】
ケース１（上ケース１Ａ）には、上面部２の同一面にて、任意の一本の指が指紋画像読取り部１１と指静脈パターン画像読取り部１２にまたがって孔の軸方向に指載置部１４が形成され、一本の指が軸方向に前後方向に指紋画像読取り手段と指静脈パターン画像読取り手段にまたがって載置され得る。この場合に、当該指は、指静脈パターン画像読取り部１２に形成した空間部１５によって静脈センサから空間を持って配置され、静脈センサに接触することがない。この空間部１５には、指静脈パターン画像読取り部１２の前後に孔３の横方向に設けた指ガイド１６，１７によって形成することができる。他の手段によって形成してもよい。指ガイド１６，１７は指を中央に載置し易いように凹状に形成してあり、全体的に上面部２より突起して形成してある。従って、この指ガイド１６，１７は空間部１５の形成からは突起部と称することができる。
【００２７】
指載置部１４は、指紋画像読取り部１１の部分に形成される第一の指載置部１８と指静脈パターン画像読取り部１２の部分に形成される第二の指載置部１９とから構成されることになる。そして、第一の指載置部１８は第二の指載置部１９に対して先端部、すなわち奥方側先端部２０が上方に鋭角、例えば孔３の軸方向に対して鋭角持ち上がった傾斜角度で配置される。指載置部１４で見るならば、指載置部１４は指紋画像読取り部１１と指静脈パターン画像読取り部１２の連結部で、もしくは第一の指載置部１８と第二の指載置部１９の接合部で腰折れ状態として曲がりが形成され、第一の指載置部１８は第二の指載置部に対して奥方側先端部２０である先端部が鋭角持ち上がった傾斜角度で配置され形成されたことになる。使用の仕方によっては第一の指載置部１８を水平方向配置として第二の指載置部１９を傾斜して配置することもできるが、この場合にあっても第二の指載置部１９からみれば第一の指載置部１８は傾斜配置となる。図１に示す構成上重要なことは、孔３に対して、上面部２に対してあるいはケース１に対して第二の指載置部１９が傾斜配置されることであって、認証しようとする指を緊張させることなく、ごく自然と、多少の曲がりを持った状態で指を双方の装置のセンサ上にフィット（計測状態完了）させることができることであり、これによって使い勝手が向上する。
【００２８】
指紋画像読取り部１１の指紋センサ部３１は上面３２に対して凹状部３３とされ、凹状部３３の先端は指の形状に合わせて半円形状としてある。この半円形状は、認証しようとする指をうまく載置することに役立つ。
【００２９】
このように、形成される指紋センサ部３１の上面３２は、指ガイド１７の高さに合わして同一高さとしてある。これによって違和感なく指を指載置部１４に載置することができる。従って、上面３２によって第二の指載置部１９の入口側部は第二の指載置部の突起部（指ガイド１７）に並行に対向する形で形成され、双方の突起部（指ガイド１６，１７）および入口側の高さは同一高さ（同一平面）とされる。
【００３０】
図１に示すように、第二の指載置部１９に面して、すなわち指静脈パターン画像読取り部１２に面して幅広の手のヒラ載置部５がその面を上面部と同一面として形成してある。手のヒラ載置部５は指の長さと手の甲との長さに合わせて、指載置部１４の長さとほぼ同一の長さとしており、少なくとも後述する第一の指載置部１９よりも長く設定してる。これによって、指を指載置部１４に載置した時に、手のヒラを手のヒラ載置部５の上に載置して安定化させることによって指自体の載置状態も安定化し、双方のセンサによる情報取得を安定的に行うことができるようになる。この状態にあっては、手のヒラは手のヒラ載置部５の上に載置され、指はその腹部が指ガイド１６，１７によって案内されて静脈センサから空間を置いて載置されて指静脈パターンが検出され、指先端部が傾斜角度で配置された凹状部３３に押圧されて指紋が同時にもしくは同一状態で順次に検出され得ることになる。
【００３１】
以上のように、ケース１は指紋画像読取り部１１と指静脈パターン画像読取り部１２の双方を一体的に備えることになる。ケース１には、ケースの同一面にて１本の指が指紋画像読取り部１１と指静脈パターン画像読取り部１２にまたがって載置され、第一の指載置部１８と第二の指載置部１９から構成される指載置部１４を有する。
【００３２】
第一の指載置部１８は第二の指載置部１９に対して先端部が上方に鋭角持ち上がった傾斜角度で配置される。また、第一の指載置部１８はケース１に対しても、すなわちケース１に設けた孔３内において孔３の軸方向に対しても先端部が上方に鋭角持ち上がった角度で配置される。鋭角は指のフィット上から検討され、定められるが２〜３°のように極端に小さい角度は避けることがよく、１５〜２０°を中心として定めるのがよい。
【００３３】
第二の指載置部１９は、指の腹部に対して空間部１５を形成してあり、第一の指載置部１８は、指が第二の指載置部１９に載置されたときに、使い勝手を考慮して指の先端部が接触する傾斜角度に形成される。これに伴なって、第二の指載置部１９の一部を形成することになる上面は図１に示すように傾斜角度で配置される。第二の指載置部１９は、第一の指載置部１８への第一の光源からの光の洩れを遮光する遮光部３６を備える。この遮光部３６を指ガイド１７上に一体的に設けて構造を簡便化することができる。
【００３４】
第二の指載置部１９は、先端部に半円形の凹状部３２を有しており、この凹状部３２の幅は指の幅から決定づけられており、これによって第二の指載置部１８は指の載置位置を決定づけ、使い勝手をよくすることになる。
【００３５】
また、上述の構成によれば、ケース１の同一面上に、指載置部１４と幅広の手のヒラ載置部５が形成してあり、指を指載置部１４に載置したときに手のヒラは手のヒラ載置部５に安定的に載置され、指の腹部は突起部である指ガイド１６，１７によって上面部２より浮き上がったことによって形成された空間部１５によって指静脈センサ部に接触することなく指静脈パターン画像読取り部１２に載置され、指の先端部は傾斜して配設された第二の指載置部１８、すなわち凹状部３２上に載置される。このように、ケース１の中央部に指静脈パターン画像読取り部１２を配設し、前方側に手のヒラ載置部５を配設し、後方の奥方側に入口部から傾斜面を有する第二の指紋画像読取り部１１を配設することによって使い勝手のよい個人認証装置１００を構成することができる。
【００３６】
図２は、指紋画像読取り部１１と指静脈パターン画像読取り部１２を一体化した状態を示す。図２において、第一の指載置部１８と第二の指載置部１９とから指載置部１４が形成され、第二の指載置部１９に対して第一の指載置部１８に鋭角上方に傾斜して配置されることは説明した。
【００３７】
指紋画像読取り部１１は、前述した第一の指載置部１８、指の先端部が載置される指紋センサ部３１を有し、この部分に指紋センサ基板４１が設けられる。従って、この指紋センサ基板４１も図２に示すように傾斜配置とされる。指紋画像読取り部１１の上面３２は載置した指の先端部の腹部を凹状部３３が押圧されることによって下方に移動し、スイッチ（図示せず）を作動させる。また、指画像読取り部１１は、指紋センサ基板４１の下方に中間ベース４２、更にその下方に他の中間ベース４３を備え、この中間ベース４３上に指紋認証基板４４が設けられ、他の中間ベース４３はＵＳＢハブ４５上によって支持される。更に、指画像読取り部１１は、ケース１への複数の取り付け手段４６を中間ベース４２、他の中間ベース４３およびＵＳＢハブ４５上に備える。中間ベース４２は上方に伸びる操作ガイドＬＥＤ１０を有し、前述したスイッチの作動に伴って点灯する。またスイッチの作動によって指紋が検出され、画像が読み取られ、指紋認証基板４４に格納される。
【００３８】
読み取られた指紋情報により指紋特徴データが指紋特徴データ抽出手段により抽出され、予め登録された指紋特徴データと照合され、本人の個人認証処理手段によって個人認証がなされる。この指紋情報による個人認証処理方法については特許文献に数多く報告されている。指静脈パターン画像読取り部１２は、前述した第二の指載置部１９および指静脈パターンセンサ部５１を有する。指静脈パターンセンサ部５１は、上述した静脈撮影用ＬＥＤ１３、撮像装置（図示せず）、カメラ基板５２、静脈センサ基板５３を備える。前述した他の中間ベース４３は指静脈パターンセンサ部５１側まで伸び、静脈撮影用ＬＥＤ１３、カメラ基板５２、静脈センサ５３を各種保持手段５４によって保持する。従って、このほかの中間ベース４３上に指静脈パターン画像読取り部１２は載置され、また指紋画像読取り部１１も載置され、両装置は一体的なものとされ、それらの一部が図１に示すようにして孔３から外方に露出することになる。
【００３９】
他の中間ベース４３には更に手のヒラ側中間ベース５５が取り付けられる。ケース１に取り付けられる保持部材５６が設けられ、手のヒラ側中間ベース５５の一端側はこの保持部材５６によって保持される。保持部材５６は各種の保持手段５７によってケース１に取り付けられる。静脈センサ基板５３の一部はこの保持部材５６に取り付けられている。この静脈パターン画像読取りについては特許文献に数多く報告されている。
【００４０】
このようにして一体化された指紋画像読取り部１１と指静脈パターン画像読取り部１２には上ケース２１Ａ、下ケース２１Ｂがかぶせられ、各種保持手段によって一体化され、前方低後方高の使い易い個人認証装置とされる。図３は、個人認証装置１００についての寸法関係を示すために平面図（図３（ａ））、右側面図（図３（ｂ））、左側面図（図３（ｃ））、前方側側面図（図３（ｄ））、奥方側側面図（図３（ｅ））および図３（ａ）のＡ−Ａ断面図（図３（ｆ））を一緒に示している。
【００４１】
これらの図に示すように、個人認証装置１００はその１例として前方側から奥方側の全長１８０ｍｍ、幅長８２ｍｍ、高さ５３ｍｍ、指静脈パターン画像読取り装置の長さ２６ｍｍとして、また第二の指載置部の傾斜角度を壁７上面、すなわち孔３の軸方向に対して１５〜２０°として形成することができる。
【００４２】
図４は指紋。指静脈パターン一体化読取り装置（指紋・指静脈パターン複合読取り装置）を備えた個人認証装置１００の機能を示す。図４に示すように個人認証装置１００は、指紋登録６１による指紋認証６２、指静脈パターン登録６３による指静脈パターン認証６４を行う機能を有し、指紋・指静脈ＡＮＤ認証６５あるいは／および指紋・静脈ＯＲ認証６６を行うことができる。
【００４３】
従って、この個人認証装置は、指紋画像読取り手段と、該指紋画像読取り手段により読取られた指紋情報により指紋特徴データを抽出する手段と、指静脈パターン画像読取り手段と、該指静脈パターン画像読取り手段により指静脈パターン特徴データを抽出する手段と、抽出された指紋特徴データあるいは指静脈パターン特徴データ又は指紋特徴データと指静脈パターン特徴データを統合したデータを使用して個人認証を行うことができる。
【００４４】
図５は、指紋・指静脈パターン一体化読取り装置１０１および認証ソフトウェアを備えたパソコン１０２を有する個人認証装置１００の機能を示す。図５において、指紋・指静脈パターン一体化読取り装置１０１は、指紋センサモジュール７１、指紋認証モジュール７２を備え、更に赤外線ＬＥＤモジュール（静脈撮影用ＬＥＤモジュール）７３、撮像装置としてのカメラを含む指静脈センサ７４、赤外線ＬＥＤモジュールと指静脈センサを前述したスイッチからの操作信号によって作動させる指静脈センサ基板（図２では５３で示す）７５を備え、読取られた指紋情報および指静脈情報はＵＳＢ−ＨＵＢ７６を介してパソコン１０２に送信される。ＵＳＢ−ＨＵＢ７６には電源アダプタ７７が接続される。パソコン１０２では、図４に示す通りの機能、すなわち指紋登録、指静脈登録、指紋認証、静脈認証、ＡＮＤ認証および／あるいはＯＲ認証を内蔵する認証ソフトウェアによって認証処理を行う。
【００４５】
図６は、予め指静脈テンプレートおよび指紋テンプレートを記憶手段に登録するフローを示す。操作ガイドＬＥＤ点滅がなされると、指検知を行う信号を受け（Ｓ１）、指静脈撮影を行い（Ｓ２）、指静脈登録を行う（Ｓ３）。これらのステップによって指静脈情報の採取を行って、指静脈テンプレート（Ｓ４）として登録する。
【００４６】
次いで、指紋センサ操作ＬＥＤ点滅がなされると、指紋取得し（Ｓ５）、指紋の登録を行う（Ｓ６）。これらのステップによって指紋情報の採取を行って、指紋テンプレート（Ｓ７）として登録する。
【００４７】
ステップＳ１−Ｓ７を３−５回繰り返し、最適なテンプレート（指静脈テンプレートおよび指紋テンプレート）の選択を行い（Ｓ８）、認証の時に使用するテンプレートとする。
【００４８】
図６に示す例にあっては指静脈情報の採取を指紋情報の採取の前に行っているが、指紋情報の採取を先に行ってもよい。
【００４９】
図７は、認証処理フローを示す。
図７において、操作ガイドＬＥＤ点滅がなされると、指検知を行う信号を受け（Ｓ１１）、指静脈撮影を行い（Ｓ１２）、登録済の指静脈テンプレートを使用して（Ｓ１３）、撮影された指静脈パターンとの照合を行い、指静脈認証を行う（Ｓ１４）。これらのステップによって指静脈認証を行う。
【００５０】
次いで、指紋センサ操作ＬＥＤ点滅がなされると、指紋取得を行い（Ｓ１５）、登録済の指紋テンプレートを使用して（Ｓ１６）、指紋認証を行う（Ｓ１７）。これらのステップによって指紋認証を行う。
【００５１】
図７に示す例にあっては、指静脈認証を指紋認証の前に行っているか、指紋認証の後に行ってもよい。論理回路によって指紋・指静脈ＡＮＤ認証か、指紋・指静脈ＯＲ認証かを判定し（Ｓ１８）、ＡＮＤの場合には指紋・指静脈ＡＮＤ認証を行い（Ｓ１９）、ＯＲの場合には指紋・指静脈ＯＲ認証を行う（Ｓ２０）。これらのステップによって、抽出された指紋特徴データあるいは指静脈パターン特徴データ又は指紋特徴データと指静脈パターン特徴データを統合したデータを使用した個人認証が行えることになる。
【図面の簡単な説明】
【００５２】
【図１】本発明の実施例の外観図。
【図２】本発明の実施例の内部構造図。
【図３】本発明の実施例の各部寸法を示す図。
【図４】本発明の実施例の機能を示す図。
【図５】本発明の実施例の他観点からの機能を示す図。
【図６】本発明の実施例のテンプレート生成を示すフローチャート図。
【図７】本発明の実施例の認証処理時のフローチャート図。
【符号の説明】
【００５３】
１…ケース、１Ａ…上ケース、２Ｂ…下ケース、３…孔、４…装置配置面部、５…手のヒラ載置部、６…操作ガイド表示部、７（７Ａ，７Ｂ）…壁、８…包囲部、９（９Ａ，９Ｂ）…傾斜入口部、１０…操作ガイドＬＥＤ、１１…指紋画像読取り部、１２…指静脈パターン画像読取り部、１３…静脈撮影用ＬＥＤ、１４…指載置部、１５…空間部、１６，１７…指ガイド（突起部）、１８…第一の指載置部、１９…第二の指載置部、２０…奥方側先端部（先端部）、２４…指紋センサ操作ＬＥＤ、３１…指紋センサ部、３２…上面、３３…凹状部、４１…指紋センサ基板、４２…中間ベース、４３…他の中間ベース、４４…指紋認証基板、４５…ＵＳＢハブ、５１…指静脈パターンセンサ部、５２…カメラ基板、５３…静脈センサ基板、１００…個人認証装置。
【図１】
2008102728.tif 000003
【図２】
2008102728.tif 000004
【図３】
2008102728.tif 000005
【図４】
2008102728.tif 000006
【図５】
2008102728.tif 000007
【図６】
2008102728.tif 000008
【図７】
2008102728.tif 000009